(57)【特許請求の範囲】
【請求項１】
並列して設けられ、上流側に位置する２列の球通路と、
これら２列の球通路を一列に変更案内する球寄せ案内路と、
外周にそれぞれ先端面を有する複数の球送り腕及びパチンコ球を嵌入し得る球受け部がそれぞれ交互に形成され、前記２列の球通路から合流してきたパチンコ球を前記球受け部により受け入れ可能に且つ前記球通路から流入したパチンコ球の球圧により前記先端面が押し下げられて回転可能となるように前記一方の球通路内側から前記球送り腕及び球受け部が前記球寄せ案内路内に臨ませて配置された整流用の回転体と、
前記球寄せ案内路から誘導されたパチンコ球を送出する下流側の一列の送出路と、を備え、
前記球送り腕には、前記球送り腕の先端の前記回転体の回転方向側に爪状の球切尖部が形成され、
前記回転体の球受け部でパチンコ球を受け入れ該パチンコ球を該回転体の回転により下方へ運ぶと共に前記球送り腕の球切尖部を前記球受け部に受けられるパチンコ球とその上に乗るパチンコ球との間に介入させることにより両パチンコ球を切り離し、一方の球通路からのパチンコ球間に他方の球通路からであって下方へ運ばれた前記球受部のパチンコ球を割り込ませて一列に規制整流可能とし、前記球寄せ案内路からパチンコ球を１個ずつ送り出すパチンコ球整流装置を備えたことを特徴とするパチンコ機。
【発明の詳細な説明】
【０００１】
【発明の属する技術分野】
本発明は、貯留タンクから供給されるパチンコ球通路を、２列から１列に変更整流してパチンコ球払出装置へ送り出すパチンコ球整流装置を備えたパチンコ機に関するものである。
【０００２】
【従来の技術】
従来、パチンコ機のパチンコ球払出装置はパチンコ球を１個単位で計数するようにし、入賞球ごとに払い出されるパチンコ球の定量数を１個単位に設定、変更調整できるようにしたものが有り、このようなパチンコ球払出装置へは、球タンクからそれぞれ２列に整流した誘導樋の各列のパチンコ球を１個ずつ交互に順番に制御し１列にて送り出すようにしている。
【０００３】
上記機構として、例えば特公平５−５５１５号公報に開示されるものが有る。該機構は、外周に数個の円弧面とパチンコ球が嵌入し得る凹窪を等間隔に形成した円盤状の回転体が各２列の球通路ごとに１個ずつ設置され、これら回転体は互いの円弧面の１個分に対する半ピッチを回転方向へ変位させて並列に配設され、上方からの球圧を受けて各回転体を回転駆動させることにより各列のパチンコ球を１個ずつ所定のタイミング差を以って交互に取り込んで送り出すようにしている。また、他に例えば特開昭６１−７６１８１号公報に開示されるように２個の回転体をガンキ車と電磁石で作動するアンカー部材とからなる動力装置により回転駆動させるものも有る。
【０００４】
上記のような機構にあっては、前者の場合、２列の球通路にそれぞれ個々に設置する２個の回転体が必要であり、これら２個の回転体は回転体の円弧面と凹窪が各列の球通路に食い違い状に臨ませるため所定のピッチ差を有して設置しなければならず、しかも円盤状の回転体はそれぞれの球通路を通過するパチンコ球の中心となる位置に設置しなければならないために、部品点数が多く、組み立ても精度が要求される困難なものであった。
【０００５】
また、後者の場合、ガンキ車とアンカー部材とにより回転体を駆動させるようにしているので、部品点数が更に多くなるばかりか構造も複雑となり、しかも電磁石やアンカー部材の設置スペースの確保と困難な組み立て作業を余儀なくされている。その結果、生産効率が悪く経済性も良くないものであった。これに対し、２列の球通路に直交させ、両球通路を合わせた横幅を有する回転体を組み付けることも考えられるが、回転体の横幅が広いと合成樹脂の場合特にヒケが生じ易く成形が困難になる。
【０００６】
【発明が解決しようとする課題】
そこで、本発明は上記課題を解決すべくなされたもので、回転体の成形が容易となり、また少ない部品点数で構造を簡素化し、組み立て作業も容易となり、しかも狭い設置スペースでも楽々納めて設置することができるパチンコ球整流装置を備えたパチンコ機を提供することを目的とするものである。
【０００７】
【課題を解決するための手段】
かかる目的を達成するため、本発明に係るパチンコ機は、並列して設けられ、上流側に位置する２列の球通路と、これら２列の球通路を一列に変更案内する球寄せ案内路と、外周にそれぞれ先端面を有する複数の球送り腕及びパチンコ球を嵌入し得る球受け部がそれぞれ交互に形成され、前記２列の球通路から合流してきたパチンコ球を前記球受け部により受け入れ可能に且つ前記球通路から流入したパチンコ球の球圧により前記先端面が押し下げられて回転可能となるように前記一方の球通路内側から前記球送り腕及び球受け部が前記球寄せ案内路内に臨ませて配置された整流用の回転体と、前記球寄せ案内路から誘導されたパチンコ球を送出する下流側の一列の送出路と、を備え、前記球送り腕には、前記球送り腕の先端の前記回転体の回転方向側に爪状の球切尖部が形成され、前記回転体の球受け部でパチンコ球を受け入れ該パチンコ球を該回転体の回転により下方へ運ぶと共に前記球送り腕の球切尖部を前記球受け部に受けられるパチンコ球とその上に乗るパチンコ球との間に介入させることにより両パチンコ球を切り離し、一方の球通路からのパチンコ球間に他方の球通路からであって下方へ運ばれた前記球受部のパチンコ球を割り込ませて一列に規制整流可能とし、前記球寄せ案内路からパチンコ球を１個ずつ送り出すパチンコ球整流装置を備えた。
【０００８】
【発明の実施の形態】
以下、本発明に係るパチンコ機の実施の形態を図面と共に説明する。図１はパチンコ機の概略裏面図である。図において、１はパチンコ機の前面枠、２は前面枠１の裏面に取付枠を介して着脱自在に装着される遊技盤、３は遊技盤２の裏面に回動可能に装着される合成樹脂製の機構板である。
【０００９】
この機構板３の裏面上部には景品球タンク４が固着され、その下方に該景品球タンク４からのパチンコ球を整列して導き出す２列の通路部を有した誘導樋５が配設される。また、該誘導樋５の下流側に本発明に係るパチンコ球整流装置６が接続され、更にその下流側にパチンコ球を１個単位で計数して所定個数のパチンコ球をその下端に接続される球排出樋８を介してパチンコ機の前面に設けた打球供給皿（図示せず。）に払い出すパチンコ球払出装置７が設けられている。
【００１０】
しかして、前記パチンコ球整流装置６は、図２，図３に示されるように、上流側にパチンコ球が並ぶ２列の球通路９ａ，９ｂとこれら２列の球通路９ａ，９ｂを合致させて１列に変更案内する球寄せ案内路１０と、この球寄せ案内路１０で１列に規制して誘導されるパチンコ球を１個ずつ送出する下流側の１列の送出路１１とを有して形成される。
【００１１】
更に詳しくは、パチンコ球整流装置６は図２に示されるように、カーブ壁１２と前壁１３と後壁１４とにより通路構成枠として組立てられている。前記カーブ壁１２は上面部１２ａから湾曲部１２ｂを介して垂直に延長する側面部１２ｃを有して形成され、このカーブ壁１２は上面部１２ａから湾曲部１２ｂに至る内面中央に隔壁１５を設けて該隔壁１５の両側に前記上面部１２ａから湾曲部１２ｂに至りパチンコ球が並ぶ２列の球通路９ａ，９ｂが設けられる。そして、これら２列の球通路９ａ，９ｂの下流側に垂直な背面壁１６が一体に延設され、前記隔壁１５の下端で２列の球通路９ａ，９ｂが合流する球寄せ案内路１０が設けられ、前記球寄せ案内路１０の下流側にパチンコ球が１個ずつ一列に送り出される送出路１１が形成されている。
【００１２】
前記球寄せ案内路１０は、隔壁１５の終端位置から下方へそのまま垂直に延設される前壁１３と後壁１４の前記隔壁１５の終端位置から下方内側へ湾曲する小さい曲率半径の小湾曲部１４ａとこれに連続して大きい曲率半径の大湾曲部１４ｂとによって形成される。また、該大湾曲部１４ｂの下端から短い垂直な垂直面部１４ｃが形成され、これにより送出路１１が前側の球通路９ｂのほぼ真下に片寄らせて形成される。前記前壁１３には、球寄せ案内路１０に対応して空胴状の張出部１７が形成される。そして、該張出部１７内に前壁１３に開設される開口１８から球寄せ案内路１０内に臨む整流用の回転体１９が配置される。
【００１３】
該回転体１９は、幅２〜３ｍｍ程度の合成樹脂板からなり張出部１７の両側壁１７ａ，１７ａ間に架設された支軸２０により前壁１３と直交する垂直面内で回転自在に軸支され、また、十文字状の球送り腕２１間にパチンコ球が嵌入し得る凹弧状の球受け部２２がそれぞれ交互に形成されるように設けられる。各球送り腕２１の先端面２１ａは回転方向側の先端部と支軸２０との長さより回転方向とは逆側の後端部と支軸２０との長さの方が短い弧面に形成される。更に、回転体１９の支軸２０は前壁１３のやや外側に設けられ、前記大湾曲部１４ｂが支軸２０を中心とする円弧状に形成される。そこで、前記各球送り腕２１の先端部と大湾曲部１４ｂの内側面間の距離がパチンコ球の球径より若干短くなるように各球送り腕２１の長さが選ばれる。これによりパチンコ球が各球送り腕２１の先端面２１ａを押し下げつつ送り出されることとなる。
【００１４】
本発明のパチンコ球整流装置は上記構成よりなり、次に図３（ａ）〜（ｄ）に基づき作用を説明する。パチンコ球整流装置６は上流側の２列の球通路９ａ，９ｂが誘導樋５の２列に整流した通路部にそれぞれ接続され、下流側の１列の送出路１１がパチンコ球払出装置７に接続されることから、球通路９ａにパチンコ球Ａ１，Ａ２，Ａ３…が流入し、球通路９ｂにパチンコ球Ｂ１，Ｂ２，Ｂ３…が流入する。
【００１５】
そして、これらの球通路９ａ，９ｂのパチンコ球Ａ１，Ｂ１が球寄せ案内路１０に達すると、まず球通路９ａのパチンコ球Ａ１が球送り腕２１１の先端面２１ａと大湾曲部１４ｂの内面との間に入り、連続するパチンコ球Ａ１，Ａ２の球圧により球送り腕２１１を押し下げつつ下降すると共にその上方のパチンコ球Ａ２も球寄せ案内路１０の小湾曲部１４ａの内側に流入する。これと同時に球通路９ｂのパチンコ球Ｂ１が球受け部２２１内に嵌入し、図３（ｂ）に示されるように回転体１９の回転と共に下方へ運ばれ、図３（ｃ）に示されるようにパチンコ球Ａ２を横方向へ押しつつパチンコ球Ａ１とパチンコ球Ａ２との間に割り込みパチンコ球Ａ１に続いて下降する。これに続いて図３（ｄ）に示されるようにパチンコ球Ａ２が下降し次の球送り腕２１２の先端面２１ａと大湾曲部１４ｂの内面との間に入る。
【００１６】
以後は同様に、連続するパチンコ球Ａ２，Ａ３，…の球圧により球送り腕２１１を押し下げつつパチンコ球Ａ２が下降すると共にその上方のパチンコ球Ａ３も球寄せ案内路１０の小湾曲部１４ａの内側に流入する。これと同時に球通路９ｂのパチンコ球Ｂ２が球受け部２２２内に嵌入し、回転体１９の回転と共に下方へ運ばれ、パチンコ球Ａ３を横方向へ押しつつパチンコ球Ａ２とパチンコ球Ａ３との間に割り込みパチンコ球Ａ２に続いて流下する。これに続いてパチンコ球Ａ３が流下し次の球送り腕２１３の先端面２１ａと大湾曲部１４ｂとの内面との間に入る。
【００１７】
以後同様にして、球通路９ａ，９ｂの各パチンコ球Ａ４，Ａ５…とパチンコ球Ｂ３，Ｂ４…が球寄せ案内路１０内に入り、回転体１９をその球圧により回転させると共に球通路９ｂの各パチンコ球Ｂ３，Ｂ４…が球通路９ａの各パチンコ球Ａ４，Ａ５…間に割り込みつつ交互に位置して一列に整流され、パチンコ球の落下順序を正確に規制されて１個ずつ順に送出路１１へ誘導送出される。そして、この送出路１１からパチンコ球払出装置７へパチンコ球が１個ずつ送り出されることになる。
【００１８】
前記回転体１９の各球送り腕２１先端の回転方向側に爪状の球切尖部２３が設けられるので、球通路９ｂ内の各パチンコ球Ｂ１，Ｂ２，…すなわち、パチンコ球Ｂ１とその上に乗るパチンコ球Ｂ２等間に球切尖部２３が介入して両パチンコ球Ｂ１，Ｂ２等をスムーズに切り離すようにしたので、例えば球通路９ｂ内のパチンコ球Ｂ２，Ｂ３…を上方へ押し戻す力が働くことがなく、円滑な流下作用を促し、動作をスムーズになし得る。
【００１９】
【発明の効果】
以上述べたように、本発明に係るパチンコ機は、並列して設けられ、上流側に位置する２列の球通路と、これら２列の球通路を一列に変更案内する球寄せ案内路と、外周にそれぞれ先端面を有する複数の球送り腕及びパチンコ球を嵌入し得る球受け部がそれぞれ交互に形成され、前記２列の球通路から合流してきたパチンコ球を前記球受け部により受け入れ可能に且つ前記球通路から流入したパチンコ球の球圧により前記先端面が押し下げられて回転可能となるように前記一方の球通路内側から前記球送り腕及び球受け部が前記球寄せ案内路内に臨ませて配置された整流用の回転体と、前記球寄せ案内路から誘導されたパチンコ球を送出する下流側の一列の送出路と、を備え、前記球送り腕には、前記球送り腕の先端の前記回転体の回転方向側に爪状の球切尖部が形成され、前記回転体の球受け部でパチンコ球を受け入れ該パチンコ球を該回転体の回転により下方へ運ぶと共に前記球送り腕の球切尖部を前記球受け部に受けられるパチンコ球とその上に乗るパチンコ球との間に介入させることにより両パチンコ球を切り離し、一方の球通路からのパチンコ球間に他方の球通路からであって下方へ運ばれた前記球受部のパチンコ球を割り込ませて一列に規制整流可能とし、前記球寄せ案内路からパチンコ球を１個ずつ送り出すパチンコ球整流装置を備えた。以上、前記回転体により一方の球通路のパチンコ球間に他方の球通路のパチンコ球を割り込ませて一列に規制整流し、球寄せ案内路からパチンコ球を１個ずつ順番に制御して送り出すようにしたので、球通路内のパチンコ球を上方へ押し戻す力が働くことがなく、円滑な流下作用を促し、動作をスムーズになし得る。また、部品点数が少なくなり、２列の球通路に対する各列の球通路ごとにピッチを設立する必要もないので全体の構造が簡略化され、組み立て作業も容易となる。また、回転体は薄い平板状に形成でき、その成形が容易となり、引いてはパチンコ球整流装置がスリム化でき場所をとらずに狭い設置スペースにも楽に取付けできるという効果を有する。
【００２０】
各球送り腕先端の回転方向側に爪状の球切尖部を設けた回転体にあっては、球受け部に嵌入されるパチンコ球とその上に乗るパチンコ球間に介入して両パチンコ球をスムーズに切り離すことができるので、パチンコ球全体の送り出し動作が円滑に行なえるという効果を有する。
【図面の簡単な説明】
【図１】  本発明のパチンコ球整流装置が適用されるパチンコ機の裏面図。
【図２】  パチンコ球整流装置の斜視図。
【図３】  パチンコ球整流装置における上流側の２列の球通路から下流側の１列の送出路へ誘導案内される作用を示す側面断面図。
【符号の説明】
６            パチンコ球整流装置
９ａ，９ｂ    球通路
１０          球寄せ案内路
１１          送出路
１９          回転体
２０          支軸
２１          球送り腕
２２          球受け部
２３          球切尖部
【図１】
0003805038.tif 000002
【図２】
0003805038.tif 000003
【図３】
0003805038.tif 000004